(57)【要約】【課題】  電源投入時の性能が充分で、高速通信への対応ができるリモコン信号受信回路を提供すること。【解決手段】  コンパレータ４による比較電圧と波形信号との比較により波形整形で行う検波手段を有するリモコン信号受信回路において、通常動作の際の電圧変化の波形信号の振幅の中点を基準電圧として記憶し、コンパレータ４の比較電圧に用いるマイクロコンピュータ１、Ａ／Ｄ変換器２、Ｄ／Ａ変換器３により実行するステップＳ１，Ｓ２，Ｓ３の処理を設けた。【選択図】        図１
2008118312.tif 000002
【特許請求の範囲】
【請求項１】
リモコンからの電波信号を周波数変化から電圧変化の信号に変換する周波数電圧変換手段と、電圧変化の波形信号からデータを取り出せるデジタル信号への変換を、コンパレータによる比較電圧と波形信号との比較により波形整形で行う検波手段を有するリモコン信号受信回路において、
通常動作の際の電圧変化の波形信号の振幅の中点を基準電圧として記憶し、前記コンパレータの比較電圧に用いる基準電圧設定手段を設けた、
ことを特徴とするリモコン信号受信回路。
【請求項２】
請求項１に記載のリモコン信号受信回路において、
前記基準電圧を、その後の通常動作の際の電圧変化の波形信号の振幅の中点により更新する基準電圧更新手段を設けた、
ことを特徴とするリモコン信号受信回路。
【発明の詳細な説明】
【技術分野】
【０００１】
本発明は、本体装置と関連付けされたリモコンからの信号を受信して処理するリモコン信号受信回路の技術分野に属する。
【背景技術】
【０００２】
従来では、リモコン信号を受信し復調した信号をデジタル信号にするためにコンパレータを用いて波形整形を行っている。受信波形はコンパレータに入力され、コンパレータの比較側にはコンデンサを介して入力して、デジタル波形に整形を行っている。この受信回路において、電源投入時の比較側の電位がコンデンサによって立ち上がる時間が遅れることを急速充電回路によって対策している（例えば、特許文献１参照。）。
【特許文献１】特開２００１−１４５１７１号公報（第２−９頁、全図）
【発明の開示】
【発明が解決しようとする課題】
【０００３】
しかしながら、従来のリモコン信号受信回路にあっては、妨害電波がある場合の電源投入時の性能が充分ではなかった。そのため、高速通信への対応に問題があった。
【０００４】
本発明は、上記問題点に着目してなされたもので、その目的とするところは、電源投入時の性能が充分で、高速通信への対応ができるリモコン信号受信回路を提供することにある。
【課題を解決するための手段】
【０００５】
上記目的を達成するため、本発明では、リモコンからの電波信号を周波数変化から電圧変化の信号に変換する周波数電圧変換手段と、電圧変化の波形信号からデータを取り出せるデジタル信号への変換を、コンパレータによる比較電圧と波形信号との比較により波形整形で行う検波手段を有するリモコン信号受信回路において、通常動作の際の電圧変化の波形信号の振幅の中点を基準電圧として記憶し、前記コンパレータの比較電圧に用いる基準電圧設定手段を設けた、ことを特徴とする。
【発明の効果】
【０００６】
よって、本発明にあっては、電源投入時の性能が充分で、高速通信への対応ができる。
【発明を実施するための最良の形態】
【０００７】
以下、本発明のリモコン信号受信回路を実現する実施の形態を、請求項１，２に係る発明に対応する実施例１に基づいて説明する。
【実施例１】
【０００８】
まず、構成を説明する。
図１は実施例１のリモコン信号受信回路の波形整形部分のブロック図である。
実施例１のリモコン信号受信回路の波形整形部分は、受信信号をＦ／Ｖ変換器５１で処理した後の回路部分であり、マイクロコンピュータ１、Ａ／Ｄ変換器２、Ｄ／Ａ変換器３、コンパレータ４を主要な構成にしている。
【０００９】
マイクロコンピュータ１は、入力信号を処理して波形整形のための閾値を演算し、閾値を出力する。
Ａ／Ｄ変換器２は、リモコンから受信したアナログ信号をデジタル信号に変換して、マイクロコンピュータ１へ向けて出力する。
【００１０】
Ｄ／Ａ変換器３は、マイクロコンピュータ１からの閾値を示すデジタル信号をアナログ信号に変換して、コンパレータ４へ向けて出力する。
コンパレータ４は、リモコンからの受信信号と、Ｄ／Ａ変換器３からの閾値信号を比較することにより整形を行い、整形した波形を出力する。
【００１１】
作用を説明する。
[妨害信号がある場合の電源投入時について]
ここで、妨害信号がある場合の電源投入時について説明する。
図２は従来のリモコン信号受信回路の波形整形部分を示すブロック図である。図３は従来のリモコン信号受信回路の波形整形部分における妨害信号がある場合の電源投入時のタイムチャートである。図４は従来のリモコン信号受信回路の波形整形部分における妨害信号がある場合の電源投入時のＦ／Ｖ変換と信号の動作を示す説明図である。
【００１２】
図２に示す従来のリモコン信号受信回路の波形整形部分は、Ｆ／Ｖ変換器５１、検波回路５２、急速充電回路５３を主要な構成している。
Ｆ／Ｖ変換器５１は、図４(a)に示すように周波数変調されている受信信号を電圧振幅の変化する信号に変換する。
【００１３】
検波回路５２は、コンパレータ５２１、抵抗５２２，５２３，５２４、コンデンサ５２５を主要な構成とし、波形整形を行う。
急速充電回路５３は、抵抗５３１，コンデンサ５３２，コンパレータ５３３，スイッチ５３４からなり、電源投入時に検波回路５２のコンデンサ５２５への急速な充電を行う。
この従来のリモコン信号受信回路の波形整形部分の作用を説明する。図２に示す回路部分では、Ｆ／Ｖ変換器５１から出力される電圧変化信号を抵抗５２４、コンデンサ５２５へ流すことにより、バイアス電圧、抵抗５２３、コンデンサ５２５で決まる電圧変化信号の振幅の中点をコンパレータ５２１に出力する。
【００１４】
そのためコンパレータ５２１では、電圧変化信号の振幅の中点と電圧変化信号の比較により波形整形を行うことで、データを電波信号から取り出す回路処理を行っている。
この電圧変化信号の振幅の中点をコンパレータ５２１の閾値とする有利な点は、図４(a)に示すＦ／Ｖ特性、つまり周波数変化を電圧変化に変換する場合にある。つまり、回路が希望する周波数の変化範囲（図４(a)における符号１０５、１０６）は、実際では全体がずれてしまうため、これに対応して変換した電圧変化の中点を取ると、補正を行うのと同等の効果が得られるのである。
【００１５】
しかしながら、この従来のリモコン信号受信回路の波形整形部分には、問題がある。電源投入後には、コンデンサ５２５により立ち上がりが遅れるため、コンパレータ５２１の比較電圧の立ち上がりが遅れることになり、その間は判断回路動作が正常なものとならない。
そのため、図２に示す従来のリモコン信号受信回路の波形整形部分では、急速充電回路５３を設けている。この急速充電回路５３は、抵抗５２４を介さずにＦ／Ｖ変換器５１から出力される電圧変化信号をコンデンサ５２５へ流すことにより早期にコンデンサ５２５を立ち上げるものである。
【００１６】
しかし、電源投入時に妨害電波を受信している場合には、急速充電回路５３によっても、その妨害電波の電圧の中点までしか立ち上がらないことになる。
図４(a)に示すように、おおむね妨害電波は、電圧に変換した際に低い電圧にしかならないことが多い（図４(a)の符号１０７参照）。このような場合には、結局、図４(b)に示すように急速充電回路５３による充電時間の経過後、さらに抵抗５２４、コンデンサ５２５の充電により、コンパレータ５２１へ入力する中点電圧が充分に立ち上がるまで、正常な波形整形を行うことができない。
【００１７】
具体的には、図４(b)に示す処理すべき入力波形１０８に対して、振幅のほぼ中央に来るべき比較電圧１０９が、中央に来るまで時間がかかることになる。
つまり、図２中のコンパレータ５２１の入力信号側のｄ点と比較電圧側のｅ点の電圧は、図４(b)において、符号１０３、１０４のレベルに達することを要求されるが、符号１０１，１０２のレベルにしかないため、符号１０３、１０４のレベルに達するまで待たなくてはならないのである。
【００１８】
このことは、年々高速化する通信において問題となる。実際には、このような場合、データ信号のデータ部分の前部分にダミーの信号部分を設けて、立ち上がりを待つ処理が必要になるからである。
実施例１のリモコン信号受信回路では、このような問題を解決している。
【００１９】
[電源投入時の閾値電圧設定処理]
図５は、実施例１のリモコン信号受信回路の検波部分におけるマイクロコンピュータ１で実行される閾値電圧設定処理の流れを示すフローチャートである。
【００２０】
ステップＳ１では、初期基準電圧として設定した電圧を読み込む。
【００２１】
ステップＳ２では、コンパレータ４の閾値電圧（基準電圧）の通常動作状態における最大値と最小値を記憶する処理を行う。具体的には、記憶した最大値、最小値とサンプリングした閾値電圧を比較し、最大値を超えるあるいは最小値を下回る場合には、更新する処理を例として挙げておく。
【００２２】
ステップＳ３では、記憶した最大値と最小値の差の１／２を演算し、中点電圧を算出する。
【００２３】
ステップＳ４では、ステップＳ３で演算した中点電圧と、ステップＳ１の初期基準電圧を比較し、初期に登録した初期基準電圧の所定範囲内かどうかを判断し、所定電圧内であれば処理を終了し、所定範囲外ならばステップＳ５へ進む。
【００２４】
ステップＳ５では、算出した中点電圧を新たな基準電圧として登録する。
【００２５】
[電源投入時に設定閾値を用いる作用]
実施例１のリモコン信号受信回路の検波部分では、通常動作の際に、ステップＳ１〜Ｓ５の処理が行われることによって、コンパレータ４で使用する基準電圧が予め設定されているため、リモコン信号受信回路の検波部分が正常な回路動作を始めると、直ぐにリモコンからの受信信号の波形整形する処理を行うことができる。
この予め設定した基準電圧は、マイクロコンピュータ１の内部又は外部に記憶させたものを読み出すのみであり、基準電圧の値は、その時の受信信号の値に左右されることがない。
【００２６】
そのため、妨害信号を受信している起動時であっても、直ぐに正常な波形整形処理を行うことができ、従来のような立ち上がり遅れが生じることがない。
そのため、通信データのデータ部分の前に設けるダミー部分（ダミーコード）を不要にできる。ダミー部分を設けなくて済むことは、通信時間の短縮になる。また、受信機の消費電流の削減にもなる。
【００２７】
また、従来のような立ち上がり遅れが生じることがないことにより、電源投入時に、即波形整形ができるため、高速通信への対応が可能となる。
また、実施例１のリモコン信号受信回路の検波部分では、基準電圧は順次、更新されるため、受信機の温度、経年変化等及びリモコンの温度・経年変化等にも対応するため、データの頭から確実に信号の波形整形（デジタル信号への変換）を行うことができる。
【００２８】
次に、効果を説明する。
実施例１のリモコン信号受信回路にあっては、下記に列挙する効果を得ることができる。
【００２９】
(1)リモコンからの電波信号を周波数変化から電圧変化の信号に変換するＦ／Ｖ変換器５１と、電圧変化の波形信号からデータを取り出せるデジタル信号への変換を、コンパレータ４による比較電圧と波形信号との比較により波形整形で行う検波手段を有するリモコン信号受信回路において、通常動作の際の電圧変化の波形信号の振幅の中点を基準電圧として記憶し、コンパレータ４の比較電圧に用いるマイクロコンピュータ１、Ａ／Ｄ変換器２、Ｄ／Ａ変換器３により実行するステップＳ１，Ｓ２，Ｓ３の処理を設けたため、電源投入時の性能が充分で、高速通信への対応ができる。
【００３０】
(2)基準電圧を、その後の通常動作の際の電圧変化の波形信号の振幅の中点により更新するマイクロコンピュータ１、Ａ／Ｄ変換器２、Ｄ／Ａ変換器３により実行するステップＳ４，Ｓ５の処理を設けたため、基準電圧は順次、更新され、受信機の温度、経年変化等及びリモコンの温度・経年変化等にも対応し、データの頭から確実に信号の波形整形（デジタル信号への変換）を行うことができる。
【００３１】
以上、本発明のリモコン信号受信回路を実施例１に基づき説明してきたが、具体的な構成については、これらの実施例に限られるものではなく、特許請求の範囲の各請求項に係る発明の要旨を逸脱しない限り、設計の変更や追加等は許容される。
【００３２】
例えば、実施例１でマイクロコンピュータ１により実現した処理内容は、回路構成によるものであっても、プログラムによるものであってもよい。
【図面の簡単な説明】
【００３３】
【図１】実施例１のリモコン信号受信回路の波形整形部分のブロック図である。
【図２】従来のリモコン信号受信回路の波形整形部分を示すブロック図である。
【図３】従来のリモコン信号受信回路の波形整形部分における妨害信号がある場合の電源投入時のタイムチャートである。
【図４】従来のリモコン信号受信回路の波形整形部分における妨害信号がある場合の電源投入時のＦ／Ｖ変換と信号の動作を示す説明図である。
【図５】実施例１のリモコン信号受信回路の検波部分におけるマイクロコンピュータ１で実行される閾値電圧設定処理の流れを示すフローチャートである。
【符号の説明】
【００３４】
１  マイクロコンピュータ
２  Ａ／Ｄ変換器
３  Ｄ／Ａ変換器
４  コンパレータ
５１  Ｆ／Ｖ変換器
５２  検波回路
５２１  コンパレータ
５２２  抵抗
５２３  抵抗
５２４  抵抗
５２５  コンデンサ
５３  急速充電回路
５３１  抵抗
５３２  コンデンサ
５３３  コンパレータ
５３４  スイッチ
【図１】
2008118312.tif 000003
【図２】
2008118312.tif 000004
【図３】
2008118312.tif 000005
【図４】
2008118312.tif 000006
【図５】
2008118312.tif 000007